(57)【要約】    【課題】  湯上りの濡れた足等の水分を迅速に吸水し得、而もべとつき感が生じにくい高吸水高乾燥性パイルマットの提供。    【解決手段】  略円柱形状をなす多数のパイルＰを基布Ｓ上に配設する。各パイルＰの基部は基布Ｓに結合されている。各パイルＰは、略円柱形状をなし、０．３デニールの非吸水性のフィラメントＦが、パイルＰの軸線を中心としてほぼ径方向に放射状をなすように密設され且つ軸線方向に密設されてなり、パイルＰの略円柱形状外周面は、各フィラメントＦの先端部により形成される。パイルＰの先端部Ｐａは、パイルＰを構成する放射状に配されたフィラメントＦの先端部により形成された略凸曲面状をなす。【選択図】      図１
2008073173.tif 000002
【特許請求の範囲】
【請求項１】
基布と多数のパイルを備えてなり、前記各パイルの基部が基布に結合された状態で、前記多数のパイルが基布上に配設されているパイルマットであって、
前記各パイルは、略円柱形状をなし、０．０５乃至０．８デニールの非吸水性のフィラメントが、パイルの軸線を中心としてほぼ径方向に放射状をなすように密設され且つ軸線方向に密設されてなり、
前記パイルの略円柱形状外周面は、前記各フィラメントの先端部により形成されていることを特徴とする高吸水高乾燥性パイルマット。
【請求項２】
上記パイルの先端部が、パイルを構成する放射状に配されたフィラメントの先端部により形成された略凸曲面状をなす請求項１記載の高吸水高乾燥性パイルマット。
【請求項３】
上記パイルが、０．０５乃至０．８デニールの非吸水性のフィラメントを飾り糸とするモール糸によるループ部が、そのモール糸の芯糸を中心として撚り合わさることにより略円柱形状を形成したものである請求項１又は２記載の高吸水高乾燥性パイルマット。
【請求項４】
上記基布が吸水性繊維からなる請求項１、２又は３記載の高吸水高乾燥性パイルマット。
【請求項５】
上記フィラメントが、ポリエステル系、ポリアミド系、ポリプロピレン系又はポリエチレン系のフィラメントである請求項１乃至４の何れかに記載の高吸水高乾燥性パイルマット。
【請求項６】
マット上で上記パイルにより吸水するためのものである請求項１乃至５の何れかに記載の高吸水高乾燥性パイルマット。
【請求項７】
足拭用のものである請求項１乃至５の何れかに記載の高吸水高乾燥性パイルマット。
【発明の詳細な説明】
【技術分野】
【０００１】
本発明は、高い吸水性と乾燥性を有するパイルを備え、足拭き用マットやトイレ用マット等として使用することができる高吸水高乾燥性パイルマットに関する。
【背景技術】
【０００２】
特許第３１７７８３３号公報（特許文献１）には、接着性樹脂を有しないパイルと接着性樹脂によって繊維がセットされたパイルが混在するパイル層によって表面が覆われていることを特徴とする足拭きマットの発明が記載されている。
【０００３】
この足拭きマットは、セットパイルが剛直な麻糸のように足裏を刺激してサラットした爽快感を与え、使用中に足拭きマットがベトツキ感を帯び難く、頻繁に取り替えずに済むようになるものとされている。
【０００４】
この足拭きマットは、ベトツキ感を防ぐことができるものの、湯上りの濡れた足等の水分を迅速に除去するための吸水性について十分に考慮されているとは言い難いものであった。
【特許文献１】特許第３１７７８３３号公報
【発明の開示】
【発明が解決しようとする課題】
【０００５】
本発明は、従来技術に存した上記のような課題に鑑み行われたものであって、その目的とするところは、湯上りの濡れた足等の水分を迅速に吸水し得、而もべとつき感が生じにくい高吸水高乾燥性パイルマットを提供することにある。
【課題を解決するための手段】
【０００６】
上記目的を達成する本発明の高吸水高乾燥性パイルマットは、
基布と多数のパイルを備えてなり、前記各パイルの基部が基布に結合された状態で、前記多数のパイルが基布上に配設されているパイルマットであって、
前記各パイルは、略円柱形状をなし、０．０５乃至０．８デニールの非吸水性のフィラメントが、パイルの軸線を中心としてほぼ径方向に放射状をなすように密設され且つ軸線方向に密設されてなり、
前記パイルの略円柱形状外周面は、前記各フィラメントの先端部により形成されていることを特徴とする。
【０００７】
基布上に多数配設されているパイルは、０．０５乃至０．８デニールの極めて細い非吸水性のフィラメントが、パイルの軸線を中心としてほぼ径方向に放射状をなすように密設され且つ軸線方向に密設されてなるものであるため、略円柱形状をなすパイルの各円形状横断面において、内方に向かうほど更に前記フィラメントが高密度状態となる。
【０００８】
そのため、毛管現象により、パイルの内方に向かって強い吸水力が作用するので、各パイルは、比較的多量の水を各円形状横断面の内方に向かって迅速に吸水し得る。
【０００９】
逆に、吸水したパイルにおける各円形状横断面の外方部である略円柱形状外周部は、毛管現象により、水分含有率が低い状態となる。而も、略円柱形状をなすパイルの略円柱形状外周面部は、非吸水性のフィラメントの先端部により形成されているので、繊維が占める面積が比較的小さく、且つ繊維自体が非湿潤状態を維持する。そのため、水分を吸収した状態のパイルの略円柱形状外周部は比較的乾燥した状態を維持し易く、べとつき感が生じにくい。
【００１０】
従って、このパイルマットは、湯上りの濡れた足等の水分を迅速に吸水し得、而もべとつき感が生じにくい高吸水高乾燥性を実現し得る。而も、このパイルマットは、各パイルを構成するフィラメントが非吸水性であるという材質と、そのフィラメントがパイルの軸線を中心としてほぼ径方向に放射状をなすように密設され且つ軸線方向に密設され、パイルの略円柱形状外周面は各フィラメントの先端部により形成されているという構造との両者よりして、遠心脱水性又はその他の脱水性及び脱水後の乾燥性に優れる。
【００１１】
上記高吸水高乾燥性パイルマットは、マット上で上記パイルにより吸水するためのものとして最適である。
【００１２】
更に、上記高吸水高乾燥性パイルマットは、足拭用のものとして最適である。
【００１３】
上記本発明の高吸水高乾燥性パイルマットは、パイルの先端部が、パイルを構成する放射状に配されたフィラメントの先端部により形成された略凸曲面状をなすものとすることができる。
【００１４】
この場合、パイルの先端部が、０．０５乃至０．８デニールの非吸水性のフィラメントが放射状に配されたフィラメントの先端部により形成された略凸曲面状をなすので、略凸曲面状先端部の内方に向かうほど更に前記フィラメントが高密度状態となる。そのため、毛管現象により、パイルの内方に向かって強い吸水力が作用するので、各パイルの先端部は内方に向かって迅速に吸水し得る。逆に、吸水したパイルの先端部は、毛管現象により、水分含有率が低い状態となる。而も、略凸曲面状先端部は非吸水性のフィラメントの先端部により形成されているので、繊維が占める面積が比較的小さく、且つ繊維自体が非湿潤状態を維持する。そのため、水分を吸収した状態のパイルの先端部は比較的乾燥した状態を維持し易く、べとつき感が生じにくい。
【００１５】
また、上記高吸水高乾燥性パイルマットにおけるパイルは、０．０５乃至０．８デニールの非吸水性のフィラメントを飾り糸とするモール糸によるループ部が、そのモール糸の芯糸を中心として撚り合わさることにより略円柱形状を形成したものとすることができる。
【００１６】
この場合のパイルは、モール糸によるループ部が、そのモール糸の芯糸を中心として撚り合わさることにより、すなわち、ループ部を構成するモール糸のうち、ループ部の一方の基部から端部を構成する部分と他方の基部から端部を構成する部分が、両部分の芯糸を中心として撚り合わさることにより、略円柱形状を形成したものである。
【発明の効果】
【００１７】
本発明の高吸水高乾燥性パイルマットは、０．０５乃至０．８デニールの極めて細い非吸水性のフィラメントがパイルの軸線を中心としてほぼ径方向に放射状をなすように密設され且つ軸線方向に密設されてなるパイルが基布上に多数配設されたものであるため、各パイルが比較的多量の水を各円形状横断面の内方に向かって迅速に吸水し得、水分を吸収した状態のパイルの略円柱形状外周部は比較的乾燥した状態を維持し易く、べとつき感が生じにくい。また、遠心脱水性又はその他の脱水性及び脱水後の乾燥性に優れる。従って、このパイルマットは、マット上でパイルにより吸水するためのマットとして、特に、足拭用のマット等として最適である。
【発明を実施するための最良の形態】
【００１８】
本発明の実施の形態を、図面を参照しつつ説明する。
【００１９】
図面は何れも本発明の実施の形態の一例としての足拭用高吸水高乾燥性パイルマットについてのものであって、図１は模式的正面図、図２はパイルの模式的拡大横断面図、図３は、モール糸によりパイルを形成する工程の一部を示す模式図である。
【００２０】
この足拭用高吸水高乾燥性パイルマットＡは、略円柱形状をなす多数のパイルＰが基布Ｓ上に配設されてなり、各パイルＰの基部は、基布Ｓに結合されている。
【００２１】
各パイルＰは、０．３デニールの非吸水性のポリエステルフィラメントＦを飾り糸とするモール糸Ｍにより形成されている。すなわち、図３に示すように、基布Ｓに対し、モール糸Ｍによるループ部Ｒを形成した後、ループ部Ｒを構成するモール糸Ｍのうち、ループ部Ｒの一方の基部から端部を構成する部分と他方の基部から端部を構成する部分が、両部分の芯糸Ｃを中心として撚り合わさることにより、図１に示す略円柱形状のパイルＰを形成したものである。例えば、強撚モール糸Ｍを用い、基布Ｓに対しモール糸Ｍによるループ部Ｒを形成した後、熱処理（染色工程における熱処理が好ましい）を行うことにより各ループ部Ｒがそのモール糸Ｍの芯糸Ｃを中心として撚り合わさるものとすることができる。
【００２２】
このようにして形成された各パイルＰは、略円柱形状をなし、０．３デニールの非吸水性のフィラメントＦが、パイルＰの軸線を中心としてほぼ径方向に放射状をなすように密設され且つ軸線方向に密設されてなり、パイルＰの略円柱形状外周面は、各フィラメントＦの先端部により形成される。パイルＰの先端部Ｐａは、パイルＰを構成する放射状に配されたフィラメントＦの先端部により形成された略凸曲面状をなす。
【００２３】
基布Ｓ上に多数配設されているパイルＰは、０．３デニールの極めて細い非吸水性のフィラメントＦが、パイルＰの軸線を中心としてほぼ径方向に放射状をなすように密設され且つ軸線方向に密設されてなるものであるため、略円柱形状をなすパイルＰの各円形状横断面において、内方に向かうほど更に前記フィラメントＦが高密度状態となる。また、パイルＰの先端部Ｐａが、０．３デニールの非吸水性のフィラメントＦが放射状に配されたフィラメントＦの先端部により形成された略凸曲面状をなすので、略凸曲面状先端部の内方に向かうほど更にフィラメントＦが高密度状態となる。そのため、毛管現象により、パイルＰの内方に向かって強い吸水力が作用するので、各パイルＰは、比較的多量の水を各円形状横断面の内方又は略凸曲面状先端部の内方に向かって迅速に吸水し得る。
【００２４】
逆に、吸水したパイルＰにおける各円形状横断面の外方部である略円柱形状外周部又は略凸曲面状先端部の外周面部は、毛管現象により、水分含有率が低い状態となる。而も、略円柱形状をなすパイルＰの略円柱形状外周面部及び略凸曲面状先端部は、非吸水性のフィラメントＦの先端部により形成されているので、繊維が占める面積が比較的小さく、且つ繊維自体が非湿潤状態を維持する。そのため、水分を吸収した状態のパイルＰの略円柱形状外周部は比較的乾燥した状態を維持し易く、べとつき感が生じにくい。
【００２５】
従って、このパイルマットＡは、湯上りの濡れた足等の水分を迅速に吸水し得、而もべとつき感が生じにくい高吸水高乾燥性を実現し得る。而も、このパイルマットＡは、各パイルＰを構成するフィラメントＦが非吸水性であるという材質と、そのフィラメントＦがパイルＰの軸線を中心としてほぼ径方向に放射状をなすように密設され且つ軸線方向に密設され、また、パイルＰの先端部ＰａはフィラメントＦが放射状に配されて略凸曲面状をなし、パイルＰの略円柱形状外周面及び先端部の略凸曲面状部は各フィラメントＦの先端部により形成されているという構造との両者よりして、遠心脱水性又はその他の脱水性及び脱水後の乾燥性に優れる。
【００２６】
フィラメントＦは、０．０５乃至０．８デニールであり、好ましくは０．１乃至０．５デニール、好ましくは０．２乃至０．４デニールである。フィラメントＦの材質は、ポリエステル系の他、例えば、ポリアミド系、ポリプロピレン系又はポリエチレン系のフィラメントＦを用いることができる。
【００２７】
芯糸Ｃは、吸水性糸および／または非吸水性糸とすることができる。芯糸Ｃの一部若しくは全部として熱融着糸を用いて飾り糸としてのフィラメントＦを融着したモール糸Ｍの場合、フィラメントＦの脱落を確実性高く防ぐことができる。
【００２８】
パイルＰの形状は、例えば軸線方向長さが直径の１．５倍乃至１０倍の略円柱形状とすることができる。好ましくは、軸線方向長さが直径の２倍乃至８倍、より好ましくは、軸線方向長さが直径の３倍乃至６倍程度である。略円柱形状をなすパイルＰの側周面の面積を比較的に大きくすることにより、水分吸収性に優れたパイルマットＡが得られる。パイルＰの軸線方向長さは、例えば５乃至８０ｍｍとすることができる。好ましくは１５乃至５０ｍｍである。なお、パイルＰの直径は軸線方向にほぼ一定であることが好ましいが、必ずしもこれに限るものではない。
【００２９】
パイルマットＡにおける各パイルＰは同一形状及び同一サイズであるものとすることができるが、形状及びサイズが異なる複数種のパイルＰを備えたパイルマットＡとすることもできる。パイルＰは基布Ｓに対し密に設けることにより、上方からパイルＰ間に基布Ｓが見えないようにすることが好ましい。パイルＰは基布Ｓに対し等間隔に設けることができるが、必ずしもこれに限らない。
【００３０】
基布Ｓは、吸水性繊維からなるものとすることができる。各パイルＰの基部は基布Ｓに結合されているので、パイルＰが吸収した水分を基布Ｓが更に吸収することにより、基布Ｓ上に配設された多数のパイルＰが吸水し得る水分の総量を増大させてパイルＰにべとつき感が生じることをより効果的に防ぐことができる。なお、基布Ｓは必ずしも吸水性繊維からなるものであることを要しない。
【００３１】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３２】
【図１】模式的正面図である。
【図２】パイルの模式的拡大横断面図である。
【図３】モール糸によりパイルを形成する工程の一部を示す模式図である。
【符号の説明】
【００３３】
Ａ      パイルマット
Ｃ      芯糸
Ｆ      フィラメント
Ｍ      モール糸
Ｐ      パイル
Ｐａ    先端部
Ｒ      ループ部
Ｓ      基布
【図１】
2008073173.tif 000003
【図２】
2008073173.tif 000004
【図３】
2008073173.tif 000005